(57)【要約】      （修正有）【課題】見栄えに優れた表示板を提供する。【解決手段】指針に指示される指標部７１ａを有した内周面部７１と、指標部７１ａの周囲に立壁を形成するように絞り加工した立壁部７２と、立壁部７２の外周を囲む外周面部７３と、を備えた表示板であって、立壁部７２は、少なくとも外壁面７２ｃに設けられた第１の印刷層７００を有し、外周面部７３は、外壁面７２ｃと同一面上に連続して設けられた第２の印刷層７０１を有し、第１の印刷層７００と第２の印刷層７０１との間に遮光部７５が積層されることにより、第１の印刷層７００と第２の印刷層７０１の端部７００ａ、７０１ａを遮光部７５で覆うことができるので、商品性を向上させることができる。【選択図】図４
2017096802.tif 000002
【特許請求の範囲】
【請求項１】
指針に指示される指標部を有した内周面部と、前記指標部の周囲に立壁を形成するように絞り加工した立壁部と、前記立壁部の外周を囲む外周面部と、を備えた表示板であって、
前記立壁部は、少なくとも前記立壁部の外壁面に設けられた第１の印刷層を有し、
前記外周面部は、前記外壁面と同一面上に連続して設けられた第２の印刷層を有し、
前記第１の印刷層と前記第２の印刷層との間に遮光部が積層されることを特徴とする表示板。
【請求項２】
前記遮光部が、前記立壁部に位置する前記第１の印刷層及び前記第２の印刷層の端部に積層されることを特徴とする請求項１記載の表示板。
【請求項３】
前記立壁部は、前記表示板の視認者側へ垂直に形成されていることを特徴とする請求項１または請求項２記載の表示板。
【発明の詳細な説明】
【技術分野】
【０００１】
本発明は、例えば自動車やオートバイに搭載される計器用の表示板に関し、特にシアン（Ｃ）、マゼンダ（Ｍ）、イエロー（Ｙ）、ブラック（Ｋ）等の複数の基本色インクのドット層を用いた表示板に関するものである。
【背景技術】
【０００２】
従来、この種の表示板にあっては、例えば下記特許文献１に記載されているものが知られている。この特許文献１に記載の表示板は、車両に搭載された指針式の計器に用いられる計器用表示板であり、合成樹脂からなる光透過性の基板の表面にスクリーン印刷層を、その裏面にはオフセット印刷層をそれぞれ設けており、オフセット印刷層上にスクリーン印刷層が重なって見える構成となっている。
【０００３】
また、このような表示板を立体的な見栄えとするために、印刷層が形成された光透過性の基板を圧空成形等により立体的に変形させることが考えられる。
【先行技術文献】
【特許文献】
【０００４】
【特許文献１】特開２０００−３３７９３１号公報
【発明の開示】
【発明が解決しようとする課題】
【０００５】
しかしながら、先行文献１に記載の表示板は、表示板を成形する過程で積層された印刷層が外周方向へ引き延ばされ、印刷層の端部の見栄えが悪くなるという問題点があった。
そこで本発明は、前述の課題に対処するため、見栄えに優れた表示板の提供を目的とするものである。
【課題を解決するための手段】
【０００６】
本発明は、指針に指示される指標部を有した内周面部と、前記指標部の周囲に立壁を形成するように絞り加工した立壁部と、前記立壁部の外周を囲む外周面部と、を備えた表示板であって、前記立壁部は、少なくとも前記立壁部の外壁面に設けられた第１の印刷層を有し、
前記外周面部は、前記立壁部の外壁面と同一面上に連続して設けられた第２の印刷層を有し、
前記第１の印刷層と前記第２の印刷層との間に遮光部が積層されるものである。
【０００７】
また本発明は、前記遮光部が、前記立壁部に位置する前記第１の印刷層及び前記第２の印刷層の端部に積層されることを特徴とする。
【０００８】
また本発明は、前記立壁部は、前記表示板の視認者側へ垂直に形成されていることを特徴とする。
【発明の効果】
【０００９】
本発明によれば、初期の目的を達成でき、見栄えに優れた表示板を提供できる。
【図面の簡単な説明】
【００１０】
【図１】本発明の実施形態による表示板の正面図。
【図２】図１のＡ−Ａ断面図。
【図３】同実施形態による表示板の絞り加工を示す斜視図。
【図４】図３の断面を示す図。
【発明を実施するための形態】
【００１１】
以下、図１〜図４に基づいて、本発明の実施形態を例えば自動車に搭載される指針式計器Ｓの表示板７に適用した場合を例に挙げて説明する。図１は本発明による指針式計器Ｓの正面図、図２は図１のＡ−Ａ断面図、図３は表示板７の絞り加工を示した斜視図、図４は図３の断面を示す図である。
【００１２】
本実施形態による指針式計器Ｓは、背面カバー１と、回路基板２と、駆動本体３と、指針４と、ケース体５と、光源６と、表示板７とで構成されている。
【００１３】
背面カバー１は、合成樹脂からなり、回路基板２の裏面（観察者側とは反対側の面）を覆うものである。
【００１４】
回路基板２は、指針４と表示板７を照明する複数の光源６と、図示しない回路パターンや各種回路素子が設けられた硬質の回路基板からなる。
【００１５】
駆動本体３は、例えばステッピングモータからなり、主要部が回路基板２の背面側に位置すると共に、指針軸３１が回路基板２を貫通して観察者側に延びている。
【００１６】
指針４は、表示板７の観察者Ｐに面する表面上で回転するように指針軸３１に連結されると共に、光源６からの光を受けて発光する。
【００１７】
ケース体５は、例えば白色の合成樹脂からなり、回路基板２の観察者側に配置され、表示板７を観察者側とは反対側から支持すると共に、光源６を通じて指針４及び表示板７を照明する際の照明室を形成するものである。
【００１８】
表示板７は、透光性シート材からなり、図２、３に示すように、指針４に指示される指標部７１ａを有した内周面部７１と、指標部７１ａの周囲に立壁を形成するように絞り加工した立壁部７２と、立壁部７２の外周を囲む外周面部７３と、を備えている。
【００１９】
指標部７１ａは、透光性シート材の表面（視認者Ｐ側）に部分的に白色の印刷などで形成され、指針４によって指示される目盛、数字等からなる所定の表示情報を表すものである。なお、指標部７１ａは、指針４の回動範囲に対応するように略円弧状に配列されている。
【００２０】
立壁部７２は、内周面部７１の周囲を囲む内壁面７２ａと、内壁面７２ａと連続し、視認者Ｐ側に面した前面７２ｂと、前面７２ｂと連続し、外周面部７３に向かって垂直に成形された外壁面７２ｃとを有している。
【００２１】
第１の印刷層７００は、内周面部７１と、立壁部７２の内壁面７２ａから外壁面７２ｃまでの一部とに連続して形成されるように透光性シート材の表面側に設けられている。この第１の印刷層７００は、所定の色を有する印刷層によって印刷形成されたスクリーン印刷層からなり、本実施例の場合、シアン（Ｃ）、マゼンダ（Ｍ）、イエロー（Ｙ）、ブラック（Ｋ）等の複数の基本色インクのうち、シアン（Ｃ）の透光性インクを用いて形成されている。
【００２２】
第２の印刷層７０１は、第１の印刷層７００と同様に、透光性シート材の表面側に設けられ、外壁面７２ｃの一部と外周面部７３とに連続して形成されるように設けられている。この第２の印刷層７０１は、所定の色を有する印刷層によって印刷形成されたスクリーン印刷層からなり、本例の場合、ブラック（Ｋ）の透光性インクを用いて形成されている。
【００２３】
外壁面７２ｃは、同一面上に第１の印刷層７００と第２の印刷層７０１とが設けられ、第１の印刷層７００と第２の印刷層７０１との間に遮光部７５が積層されている。
【００２４】
また、遮光部７５は、本実施形態においては、黒色の遮光性インク等によって印刷形成されている。遮光部７５は、外壁面７２ｃの第１の印刷層７００の端部７００ａと第２の印刷層７０１の端部７０１ａを覆うように、第１の印刷層７００と第２の印刷層７０１との間に積層されている。
【００２５】
以上のように、本実施形態では、指針４に指示される指標部７１ａを有した内周面部７１と、指標部７１ａの周囲に立壁を形成するように絞り加工した立壁部７２と、立壁部７２の外周を囲む外周面部７３と、を備えた表示板７であって、立壁部７２は、少なくとも外壁面７２ｃに設けられた第１の印刷層７００を有し、外周面部７３は、外壁面７２ｃと同一面上に連続して設けられた第２の印刷層７０１を有し、第１の印刷層７００と第２の印刷層７０１との間に遮光部７５が積層されることにより、第１の印刷層７００の端部７００ａと第２の印刷層７０１の端部７０１ａを遮光部７５で覆うことができるので、商品性を向上させることができる。
【００２６】
また本実施形態では、遮光部７５が、立壁部７２に位置する第１の印刷層７００の端部７００ａ及び第２の印刷層７０１の端部７０１ａに積層されることにより、両方の端部を覆うことができるので、更に商品性を向上させることができる。
【００２７】
また本実施形態では、立壁部７２は、表示板７の視認者Ｐ側へ垂直に形成されていることにより、観察者Ｐ側から表示板７を視認したときに、第１の印刷層７００の端部７００ａ、及び第２の印刷層７０１の端部７０１ａが覆われていると共に、遮光部７５が見えにくい位置にあるので、更に商品性を向上させることができる。
【符号の説明】
【００２８】
１    背面カバー
２    回路基板
３    駆動本体
４    指針
５    ケース体
６    光源
７    表示板
７１    内周面部
７１ａ  指標部
７２  立壁部
７２ａ  内壁面
７２ｂ  前面
７２ｃ  外壁面
７３  外周面部
７５  遮光部
７００  第１の印刷層
７０１  第２の印刷層
７００ａ    端部
７０１ａ    端部
Ｐ    視認者
Ｓ    指針式計器
【図１】
2017096802.tif 000003
【図２】
2017096802.tif 000004
【図３】
2017096802.tif 000005
【図４】
2017096802.tif 000006